(57)【要約】【課題】ハンマーの支点を実質的に一定に維持することで、くぎが抜き取られるにつれてくぎを抜き取るのに必要な労力が増加しないようにする。【解決手段】第１の端部を有するハンドル６１４と、ハンドル６１４の第１の端部に固定され、打撃面６２２が設けられた打撃ヘッド６２０を一端に有するハンマーヘッドと、打撃ヘッド６２０から拡張された第１の正面抜き取り器６３２と、ハンドルと打撃ヘッド６２０との間に配置された第２の正面抜き取り器６３４とを備えている。一つの実施態様として、このハンマーは、第１の正面抜き取り器６３２と第２の正面抜き取り器６３４との間に位置するスロット６３３と、正面抜き取り器６３２、６３４と一緒に一体的に形成され、正面抜き取り器６３２、６３４を結合している水かき状部６３５とを備えている。【選択図】図１５
2007268702.tif 000002
【特許請求の範囲】
【請求項１】
ハンマーであって、
第１の端部を有するハンドルと、
前記ハンドルの前記第１の端部に固定され、前記ハンマーの正面を定義する打撃面が設けられた打撃ヘッドを一端に有するハンマーヘッドと、
前記打撃ヘッドから拡張された第１の正面抜き取り器と、
前記ハンドルと前記打撃ヘッドとの間に配置された第２の正面抜き取り器と、
を備えていることを特徴とするハンマー。
【請求項２】
前記第１の正面抜き取り器は、前記打撃面の近位に配置された前記打撃ヘッドの末端から拡張されていることを特徴とする請求項１に記載のハンマー。
【請求項３】
前記第２の抜き取り器は前記第１の抜き取り器よりも長さが短いことを特徴とする請求項１に記載のハンマー。
【請求項４】
前記第１の正面抜き取り器と前記第２の正面抜き取り器とを通って延びる溝をさらに備えていることを特徴とする請求項１に記載のハンマー。
【請求項５】
前記第１の正面抜き取り器と前記第２の正面抜き取り器との間に位置する少なくとも１つのスロットをさらに備えていることを特徴とする請求項１に記載のハンマー。
【請求項６】
前記少なくとも１つのスロットは、くぎのヘッドがそのなかに支持される大きさとされて前記くぎが前記打撃面に対して実質的に垂直に片持ちとされるようになっていることを特徴とする請求項５に記載のハンマー。
【請求項７】
前記少なくとも１つのスロットは約１／１６から１／８インチの幅とされていることを特徴とする請求項５に記載のハンマー。
【請求項８】
前記少なくとも１つのスロットは、約３／３２インチの幅とされていることを特徴とする請求項７に記載のハンマー。
【請求項９】
前記少なくとも１つのスロットは、それぞれの末端において、水かき状部により連結されていることを特徴とする請求項５に記載のハンマー。
【請求項１０】
前記水かき状部は、前記第１の正面抜き取り器および前記第２の正面抜き取り器と一緒に一体的に形成されていることを特徴とする請求項９に記載のハンマー。
【請求項１１】
前記第１の正面抜き取り器および前記第２の正面抜き取り器を一緒に連結する水かき状部をさらに備えていることを特徴とする請求項１に記載のハンマー。
【請求項１２】
前記水かき状部は、前記第１の正面抜き取り器および前記第２の正面抜き取り器と一緒に一体的に形成されていることを特徴とする請求項１１に記載のハンマー。
【請求項１３】
前記第１の正面抜き取り器は、前記ハンドルに実質的に平行に前記打撃ヘッドから拡張されていることを特徴とする請求項１に記載のハンマー。
【請求項１４】
前記第１の正面抜き取り器は、前記ハンドルから約１と５／８インチの間隔があけられていることを特徴とする請求項１に記載のハンマー。
【請求項１５】
前記第２の正面抜き取り器は、前記ハンドルに実質的に平行に拡張されていることを特徴とする請求項１に記載のハンマー。
【請求項１６】
前記第２の正面抜き取り器は前記ハンドルから約１と１／４インチの間隔があけられていることを特徴とする請求項１５に記載のハンマー。
【請求項１７】
前記第１の正面抜き取り器と前記第２の正面抜き取り器との少なくとも１つが帯磁されて、くぎをそのなかに支持できるようにし、前記くぎが前記打撃面に対して実質的に垂直に片持ちとされるようになっていることを特徴とする請求項１に記載のハンマー。
【請求項１８】
前記第１の正面抜き取り器は、その末端において、角度のついた端部を有していることを特徴とする請求項１に記載のハンマー。
【請求項１９】
前記端部は、湾曲部を有することにより角度がつけられていることを特徴とする請求項１８に記載のハンマー。
【請求項２０】
前記打撃ヘッドの反対側に配置される従来の爪も備えることを特徴とする請求項１に記載のハンマー。
【請求項２１】
ハンマーヘッドであって、
ハンドルに取り付けられるボディと、
前記ハンマーヘッドの正面を定義している打撃面を有する前記ボディから拡張された打撃ヘッドと、
前記打撃面の近位に位置する打撃ヘッドの末端から拡張された第１の正面抜き取り器と、
前記打撃ヘッドから拡張された第２の正面抜き取り器と、
を備えたことを特徴とするハンマーヘッド。
【請求項２２】
前記第１の正面抜き取り器は前記第２の正面抜き取り器よりも長いことを特徴とする請求項２１に記載のハンマーヘッド。
【請求項２３】
前記第１の正面抜き取り器は、前記打撃面に実質的に平行であることを特徴とする請求項２１に記載のハンマーヘッド。
【請求項２４】
前記第２の正面抜き取り器は、前記打撃面に実質的に平行であることを特徴とする請求項２１に記載のハンマーヘッド。
【請求項２５】
前記第１の正面抜き取り器と前記第２の正面抜き取り器とを通って延びる溝をさらに備えていることを特徴とする請求項２１に記載のハンマーヘッド。
【請求項２６】
前記第１の正面抜き取り器と前記第２の正面抜き取り器との間に位置する少なくとも１つのスロットをさらに備えていることを特徴とする請求項２１に記載のハンマーヘッド。
【請求項２７】
前記少なくとも１つのスロットは、それぞれの末端において、水かき状部により連結されていることを特徴とする請求項２６に記載のハンマーヘッド。
【請求項２８】
前記第１の正面抜き取り器および前記第２の正面抜き取り器を一緒に連結する水かき状部をさらに備えていることを特徴とする請求項２１に記載のハンマーヘッド。
【請求項２９】
前記水かき状部は、前記第１の正面抜き取り器および前記第２の正面抜き取り器と一緒に一体的に形成されていることを特徴とする請求項２８に記載のハンマーヘッド。
【請求項３０】
前記スロットは、そのなかにくぎのヘッドを保持する大きさとされ、前記くぎが前記溝に保持され前記打撃面に対して実質的に垂直に片持ちとされるようになっていることを特徴とする請求項２６に記載のハンマーヘッド。
【請求項３１】
前記スロットはそのなかにくぎのヘッドを保持する大きさの約１／１６から１／８インチの間の幅とされていることを特徴とする請求項３０に記載のハンマーヘッド。
【請求項３２】
前記第１の正面抜き取り器と前記第２の正面抜き取り器との少なくとも１つが帯磁されて、くぎをそのなかに支持できるようにし、前記くぎが前記溝に保持され前記打撃面に対して実質的に垂直に片持ちとされるようになっていることを特徴とする請求項２１に記載のハンマーヘッド。
【請求項３３】
前記第１の正面抜き取り器は、その末端において、角度のついた端部を有していることを特徴とする請求項２１に記載のハンマーヘッド。
【請求項３４】
前記端部は、湾曲部を有することにより角度がつけられていることを特徴とする請求項３３に記載のハンマーヘッド。
【請求項３５】
前記打撃ヘッドの反対側に配置される従来の爪も備えることを特徴とする請求項２１に記載のハンマーヘッド。
【請求項３６】
ハンマーヘッドであって、
ハンドルに取り付けられるボディと、
前記ハンマーヘッドの正面を定義している打撃面を有する前記ボディから拡張された打撃ヘッドと、
前記打撃面の近位に位置する打撃ヘッドの末端から、前記打撃面に実質的に平行に拡張された第１の正面抜き取り器と、
前記打撃ヘッドの末端から拡張され、前記第１の抜き取り器よりも長さが短い第２の正面抜き取り器と、
前記第１の正面抜き取り器と前記第２の正面抜き取り器とを一緒に連結する水かき状部と、
を備えていることを特徴とするハンマーヘッド。
【請求項３７】
前記水かき状部は、前記第１の正面抜き取り器および前記第２の正面抜き取り器と一緒に一体的に形成されていることを特徴とする請求項３６に記載のハンマーヘッド。
【請求項３８】
前記第１の正面抜き取り器は、その末端において、角度のついた端部を有していることを特徴とする請求項３６に記載のハンマーヘッド。
【発明の詳細な説明】
【技術分野】
【０００１】
本願は、２００２年８月２２日にファイルされた米国特許出願第１０／２２５，４６４号の後続部分を構成するものであり、米国においては２００１年９月６日に出願された米国仮特許出願第６０／３１７，１１９号に基づいて優先権が主張されている。
【０００２】
本発明は、くぎまたは他の固定具の抜き取りに使用し得るハンマーおよびハンマーヘッドに関する。より詳細には、本発明は正面抜き取り器を持つハンマーまたはハンマーヘッドに関する。
【背景技術】
【０００３】
従来のハンマーはほとんどが直線的な裂け目爪タイプまたは曲線的な裂け目爪タイプのいずれかである。両方のタイプがくぎの抜き取りに使われる。これらのくぎ抜きハンマーは、ハンマーヘッドの正面に打金またはヘッドを有し、ハンマーヘッドの後部に打金とは反対側に位置するくぎ取り除き爪を持つ。くぎ抜きハンマーはさまざまな家事目的、および組み立ておよび仕上げ作業やはぎ取りおよび他の取り壊し作業などの建設産業において使用される。当然ながらこれらの用途はほんの例示に過ぎず、ハンマーはさまざまな他の目的で他の用途に使うことができる。
【０００４】
従来のくぎ抜きハンマーの１つの大きな制約は、簡単にまたは迅速にくぎを抜き取るためには使えないという点である。これはいったん約１インチの距離までくぎが抜き取られるとてこの作用が実質的に小さくなるという事実が大きな原因である。特に、従来のくぎ抜きハンマーを使ってくぎが抜き取られるにつれてこの支点がくぎから離れることにより、てこの作用が事実上小さくなり、またさらにくぎを引き抜くためにハンマーの使用者によって加えられなければならない必要な力が事実上大きくなる。従来のくぎ抜きハンマーのこのような欠点または制約は、くぎが抜き取りの難しい設計となっている場合に特に問題である。例えば、大型のくぎ、のりが塗布されたくぎ、またはリブ付き軸部をもつくぎは抜き取りが非常に困難な場合があり、そのため抜き取るにはユーザーによって大きな力を加えなければならない場合がある。
【０００５】
従来のくぎ抜きハンマーの他の制約は、比較的長さの長いくぎの抜き取り、またはすでに部分的に表面から取り除かれているくぎに関する。ハンマーヘッドの打撃部に対する従来の爪の幾何学的寸法のため完全な抜き取りがしばしば妨げられる。それに加え、抜き取ろうとしているくぎが特に長い場合、従来の爪を使った抜き取りはくぎを大きく折り曲げる場合がありその結果完全な抜き取りがさらに妨げられる。このような長いくぎを抜き取るには、大工はしばしばハンマーに加えて特別なくぎ抜き工具を使うか、または木材または他の物質からなるブロックを見つけてハンマーのヘッドの下に配置しハンマーを高くして支点を表面よりも上の位置とすることでてこの作用をより大きくする必要がある。
【０００６】
従来のくぎ抜きハンマーの上述の制約を解消しようとしてさまざまな解決策が提案されてきた。特に、米国特許第６，２７９，８７６号、第５，４４１，２３６号、第５，２４９，７７６号、第５，０６０，９１１号、第４，９９８，９９６号、第４，５３３，１１６号、第４，４２２，６２０号、第２，６５７，９０３号、および第２，５８９，０４６号はすべて、支点の配置が改善されるかさもなければくぎの抜き取り、とくに長いくぎの抜き取りを容易にするための適切なてこの作用を提供するよう調整可能とされているくぎ抜きハンマーを開示している。この点に関して、これらの提案されているハンマーは支点を高くして長いくぎが抜き取れるようになっているハンマーの頂上部から外側に延びる可動式メカニズムを提供する。しかしながら提案されている解決策はさまざまな移動部品を利用するため費用がかさみハンマーの耐久性を低下させる。さらに、提案されている多くの実施例では延長した支点を規定するのにハンマーを手動で調整しなければならず、かかる特徴を持つハンマーを使うのは面倒であり、不便であり、時間の浪費である。可動式の延長可能な支点はハンマーの安定性も低下させ、さらにハンマーの従来の打撃およびはぎ取り用途によって不可避的に生じる支点メカニズムの磨耗および破損にともなってユーザーが負傷する大きな危険性を作り出す。
【０００７】
従来のくぎ抜きハンマーの上述の制約を解決しようとして他の解決策もまた提案されてきた。例えば、米国特許第２，２３９，７１９号、第１，５３５，６８５号、第１，４２５，３６９号、および第５５９，０４９号はすべて、長いくぎおよびさまざまな長さで表面から延びているくぎと係合して引き抜けるようになっている複数の爪を持ったハンマーを開示している。しかしながらこのような提案されているくぎ抜きハンマーは、くぎから支点が離れて移動することにより、てこの作用が制限される点にはまだ対応できていない。これらさまざまな提案されている解決策は従来の手段による抜き取りにまつわる効率の悪さを解決できておらず、むしろかえって破損、非安定性、時間の浪費、消耗、および負傷の可能性などのさらなる効率の悪さか、または従来のくぎ抜きハンマーを完全に機能させるにあたってのさまざまな障害のいずれかを生み出すという別の問題を生み出している。
【０００８】
従来のくぎ抜きハンマーのさらに別の制約は、ハンマーヘッドの爪の配置のために、ユーザーは爪を使うのに握り方を反転させおよび／またはハンマーを方向転換させなければならないという点である。このことはくぎを連続的に迅速に打ち込んだり抜き取ったりしなければならない状況では作業効率の妨げとなる。例えば、アルミニウム、しんちゅう、または亜鉛めっきされたくぎなどのより脆弱なくぎはより硬質の木材または表面に打ち込まれると曲がりやすい。当然ながら、これらの曲がったくぎは取り除いて交換用のくぎを代わりに挿入できるようにしなければならない。抜き取って別の交換用のくぎを挿入するたびに握り方を二度反転させおよび／またはくぎ抜きハンマーを方向転換させることになる。米国特許第１，２５２，９０３号はレース状ハチェットを開示しており、これはハチェットと同じ側にハンマーポールの下に配置された爪を持つものである。しかしながら参照文献’９０３号のレース状ハチェットは従来のハンマーのようには使えない、これはハンマーポールの反対側には爪が設けられていないためである。さらに、開示されているレース状ハチェットの爪は十分なてこの作用を提供できないためほとんどのくぎを効率的にまたは完全に抜き取ることができない。特に、長いくぎおよびさまざまな長さで表面から延びているくぎは開示されているレース状ハチェットを使っては簡単に抜き取ることができない。さらに、ほとんどのくぎを抜き取るのに、開示されているレース状ハチェットはくぎを爪とは別の手段に係合させるために実質的に配置換えする必要があり、また完全な抜き取りを行うために木製のブロックといったさらなる手段の使用も見込んでいる。この点で開示されているレース状ハチェットは、提案されている解決策において従来のくぎ抜きハンマーをくぎ抜き器として使用することに伴う問題に固有の効率の悪さに似た効率の悪さをともなう余地がある。
【０００９】
最後に、米国特許第Ｄ４３８，０８２号はくぎを所定の位置に保持するための備えを持ってユーザーが他方の手でくぎを保持せずともくぎを最初に表面に打ち込めるようにしたハンマー用の装飾的な設計を開示している。くぎの軸部に係合する止めねじによりくぎは所定の位置に保持されるように思える。しかしながらかかる保持手段の使用は面倒である、なぜならユーザーが保持手段を使いたいときはいちいち止めねじを固定しそして緩める必要があるからである。
【００１０】
従って上述のことがらを考慮すると、従来のハンマーの上述の制約を回避する改善されたハンマーに対するまだ満たされていない必要性は未だに存在する。特に、くぎの抜き取りを簡単にし、ハンマーをハンマーとして完全に機能できるようにし、ハンマーの有用性を向上するさらなる機能性および特徴を提供する改善されたハンマーに対するまだ満たされていない必要性は未だに存在する。
【発明の開示】
【発明が解決しようとする課題】
【００１１】
上述のことがらを考慮すると、本発明の１つの課題は表面からのくぎの抜き取りを簡単にするハンマーを提供することである。
【００１２】
本発明の他の課題は、ハンマーの支点を実質的に一定に維持することで、くぎが抜き取られるにつれてくぎを抜き取るのに必要な労力が増加しないようにするハンマーを提供することである。
【００１３】
本発明のさらに他の課題は、握り方を反転させるかまたはハンマーを方向転換させることなくくぎを抜き取れるようにするハンマーを提供することである。
【００１４】
本発明のさらに他の課題は、長いくぎの抜き取りを簡単にするハンマーを提供することである。
【００１５】
本発明のさらに他の課題は、簡単によじれるようにすることで通常の大きさの木製のはりを簡単に適切に配置できるようにするハンマーを提供することである。
【００１６】
本発明のさらに他の課題は、表面へのくぎの最初の打ち込みを簡単にするハンマーを提供することである。
【００１７】
本発明のさらに他の課題は、くぎの抜き取り効率を大きくし有用性を向上させるハンマーを提供しつつ、ハンマーを従来と同じように使えるようにすることである。
【課題を解決するための手段】
【００１８】
これらおよび他の課題および特徴は次のハンマーによって達成される。すなわち、このハンマーは、第１の端部を有するハンドルと、ハンドルの第１の端部に固定され、ハンマーの正面を定義する打撃面が設けられた打撃ヘッドを一端に有するハンマーヘッドと、打撃ヘッドから拡張された第１の正面抜き取り器と、ハンドルと打撃ヘッドとの間に配置された第２の正面抜き取り器と、を備えている。
【００１９】
このハンマーの１つの実施態様によれば、第１の正面抜き取り器は、打撃面の近位に配置された打撃ヘッドの末端から拡張されている。この時、第２の抜き取り器は第１の抜き取り器よりも長さが短いことが好ましい。また、第１の正面抜き取り器と前記第２の正面抜き取り器とを通って延びる溝と、第１の正面抜き取り器と第２の正面抜き取り器との間に位置する少なくとも１つのスロットをさらに備えていてもよい。ここで、このスロットは、くぎのヘッドがそのなかに支持される大きさとされてくぎが打撃面に対して実質的に垂直に片持ちとされるようになっていればよい。例えば、このスロットは約１／１６から１／８インチの幅、一例として約３／３２インチの幅とされる。
【００２０】
また、本発明の別の実施態様によると、このハンマーのスロットは、それぞれの末端において、水かき状部により連結されている。そして、この水かき状部は、第１の正面抜き取り器および第２の正面抜き取り器と一緒に一体的に形成され、正面抜き取り器を一緒に連結していることが好ましい。
【００２１】
また、別の実施態様によると、第１の正面抜き取り器は、ハンドルに実質的に平行に打撃ヘッドから拡張され、ハンドルから約１と５／８インチの間隔があけられている。別の態様によると、第２の正面抜き取り器は、ハンドルに実質的に平行に拡張され、ハンドルから約１と１／４インチの間隔があけられている。
【００２２】
また、このハンマーの別の実施態様では、第１の正面抜き取り器と第２の正面抜き取り器との少なくとも１つが帯磁されて、くぎをそのなかに支持できるようにし、くぎが打撃面に対して実質的に垂直に片持ちとされるようになっている。さらに、第１の正面抜き取り器は、その末端において、湾曲部を有することにより角度がつけられている端部を有している。
【００２３】
その他、本発明ハンマーヘッドは、この明細書に記載されたようにさまざまな特徴が与えられている。
【００２４】
本発明のこれらおよび他の利点および特徴は、添付の図面とともに検討すると本発明の好適な実施態様の以下の詳細な説明から明らかになるであろう。
【発明の効果】
【００２５】
以上説明したように、本発明によれば、表面からのくぎの抜き取りを簡単にするハンマーを提供することができる。
【００２６】
また、ハンマーの支点を実質的に一定に維持することで、くぎが抜き取られるにつれてくぎを抜き取るのに必要な労力が増加しないようにするハンマーを提供することができる。
【００２７】
また、握り方を反転させるかまたはハンマーを方向転換させることなくくぎを抜き取れるようにするハンマーを提供することができる。
【００２８】
また、長いくぎの抜き取りを簡単にするハンマーを提供することができる。
【００２９】
また、簡単によじれるようにすることで通常の大きさの木製のはりを簡単に適切に配置できるようにするハンマーを提供することができる。
【００３０】
また、表面へのくぎの最初の打ち込みを簡単にするハンマーを提供することができる。
【００３１】
また、くぎの抜き取り効率を大きくし有用性を向上させるハンマーを提供しつつ、ハンマーを従来と同じように使えるようにすることができる。
【発明を実施するための最良の形態】
【００３２】
通常の当業者であれば明らかにわかるように、本発明によるハンマーおよびハンマーヘッドは従来のハンマーのすでに述べた欠点を克服するものである。特に本発明はくぎの抜き取りを簡単とし、ユーザーのよりよく手が届く距離を改善することで高い位置にあるくぎを抜き取れるようにしたものである。さらに、本発明の１つの実施態様によるハンマーおよびハンマーヘッドはまた、くぎの挿入も容易とし、はりが簡単に回転できるようにするものである。この点に関して、以下に記載するさまざまな図面はハンマーヘッドと一体的に形成されているハンドルを備えた完全なハンマーを示しているが、本発明は別個のハンドルに簡単に取り付けることができその結果ハンマーを形成できるハンマーヘッドも含むものであることは明らかである。従って、ここで以下に記載するような本発明のさまざまな特徴はハンマーならびにハンマーヘッドの両方に適用できる。
【００３３】
図１は、本発明の１つの実施態様によるハンマー１０の部分側面図である。本発明ならびに以下の他の実施態様に示すハンマー１０は大工、自宅所有者などによって一般に使われている爪タイプのものであるが、本発明はこれに限られるものではなく他のタイプのハンマーとしても同様に具体化し得る点に留意すべきである。
【００３４】
再び図１を参照すると、図示されている実施態様のハンマー１０はハンドル１４の第１の端部に取り付けられているヘッド１２を備えている。ハンマー１０のハンドル１４にはハンドルグリップ１６（部分的にだけ示している）が設けられてユーザーが簡単にハンマー１０を扱えるようにしている。ハンマー１０のヘッド１２はハンドル１４に対して実質的に垂直に延びている打撃ヘッド２０を備えている。打撃ヘッド２０はその一端にくぎや固定具を打ち込むための打撃面２２を備えている。ハンマー１０のヘッド１２はまた、くぎのヘッドに係合してくぎを抜き取るためのｖ字型の溝を持つ従来の爪２４も備えている。爪２４を設けることで、図示されているハンマー１０が実質的に従来のように使用できるようになっている。
【００３５】
図示している実施態様によるハンマー１０にはまた、打撃ヘッド２０の下側とハンマー１０のハンドル１４の正面側との間に斜めにまたがっているインターフェース部３０も設けられている。図示されている実施態様では、インターフェース部３０が斜め向きになっていることにより図示されるようにインターフェース部３０とハンマーヘッド１２とハンドル１４との間に厚縁部３１が形成されている。インターフェース部３０には第１、第２、および第３の正面抜き取り器３２、３４、および３６がそれぞれ設けられている。この点に関して、正面抜き取り器３２、３４、および３６はそれぞれキャビティまたはスロット３３、３５、および３７によってインターフェース部３０に形成されている。
【００３６】
インターフェース部３０に形成されているスロット３３、３５、および３７は、抜き取りのために正面抜き取り器３２、３４、および３６によってくぎのヘッドまたは他の固定具のヘッドが係合されるような大きさとなっていることが好ましい。この点に関して、インターフェース部３０の表面３８（点線で表示されている）は抜き取られるくぎまたは他の固定具の動きを制限する溝の接触面を定義している。さらに、正面抜き取り器３２、３４、および３６はインターフェース部３０に沿って順次配置され、違う長さで壁またははりなどの表面から突出しているくぎまたは他の固定具を簡単に抜き取れるようにしている。さらに、正面抜き取り器３２、３４、および３６が順次配置されていることで、てこの作用を累加的にして長いくぎまたは他の固定具が簡単に抜き取れるようになっている。
【００３７】
図２は図１のハンマー１０の正面図を示しており、これらの図面は両方とも本願において明確化のために参照するものである。図示するように、インターフェース部３０は好ましくはハンマー１０の打撃ヘッド２０よりも幅が超えることはなく、インターフェース部３０が標準的なくぎ抜きハンマーとしてのハンマー１０の完全な機能を妨害しないようになっている。しかしながら、他の実施態様および用途では、本発明のインターフェース部３０およびそれに設けられている正面抜き取り器は打撃ヘッド２０よりも幅がわずかに大きくてもよい。ｖ字型表面が溝４０と正面抜き取り器３２、３４、および３６との間の境界を示した状態で、表面３８を備えた溝４０は図示するように正面抜き取り器３２、３４、および３６を通って延びている。
【００３８】
図３は、壁、はり、または何らかの他の表面であり得る表面６から従来の爪２４を使ってくぎ２を抜き取るのに使用中の、本発明の実施態様のハンマー１０を示している。矢印「Ａ」の方向にハンマー１０を回転させることによりくぎ２を抜き取ることができる。しかしながら、図面ではくぎ２が従来の爪２４を使って抜き取るさいには、ハンマー１０が矢印Ａの方向に回転するにつれてハンマー１０の支点Ｃが矢印「Ｂ」の方向に移動してくぎ２から離れる。すでに述べたように、支点Ｃがこのように移動してくぎ２から離れることにより支点Ｃとくぎ２との間の有効な応力中心距離の長さが長くなり、その結果、矢印Ａの方向にハンマー１０を回転させるのに必要な力が増大する。
【００３９】
図４は、ハンマー１０のインターフェース部３０に設けられている第１の正面抜き取り器３２を使って表面６からくぎ２を抜き取るのに使用中の、本発明の実施態様のハンマー１０を示している。この点に関して、ハンマー１０は打撃ヘッド２０の打撃面２２が表面６に沿って配置されるように配置されている。そして、ハンマー１０は正面抜き取り器３２がくぎ２のヘッド４に係合するように操作される。ハンマー１０は矢印「Ｄ」の方向に回転されることでハンマー１０が支点「Ｅ」を中心に回動し、これによりくぎ２をそのヘッド４によって引っ張ることにより抜き取ることができる。
【００４０】
図３に関して上で述べたように従来の爪２４を使うくぎの抜き取りとは反対に、図４に示す支点Ｅはくぎ２の位置に対して実質的に静止したままである。従って支点Ｅとくぎ２との間の応力中心距離の長さは一定のままである。その結果、矢印Ｄの方向にハンマー１０を回転させるのに必要な力は従来の爪２４を使う場合のように増大することはなく、よってくぎおよび他の固定具を取り除くのにハンマー１０のユーザーによって必要とされる労力および力は大幅に縮小される。もしくぎ２が長い場合は支点Ｅが実際にはわずかに移動してくぎ２に近寄ることにより、くぎ２が抜き取られるにつれてハンマー１０を回転させるのに必要な力をさらに小さくすることができる。
【００４１】
労力がこのように縮小されることで、日常的に多数のくぎおよび他の固定具を抜き取らなければならない大工や額縁職人といった末端ユーザーの疲労を最小限とすることにより本発明によるハンマー１０の有用性が大幅に向上する。それに加えて、本発明のハンマー１０はさらに従来の爪抜き取り器を使ったのであれば取り除けないであろうくぎも抜き取りできるようにする。
【００４２】
さらに、ハンマー１０の境界面３０に正面抜き取り器３２、３４、および３６を順次配置することによって長いくぎまたは固定具の抜き取りも簡単となっている。特に、くぎ２が格別長いかまたは表面６から大きく離れて突出している場合に、くぎ２のヘッド４が第１の正面抜き取り器３２に係合するとハンマー１０を適切に配置し作用させることが簡単には達成できない場合がある。かかる場合には、より長く突出しているくぎを受容するようインターフェース部３０に沿って配置されている第２の正面抜き取り器３４を使うことができる。図示されている実施態様では、インターフェース部３０にはより長く突出しているくぎを受容するための第３の正面抜き取り器３６がさらに設けられている。
【００４３】
さらに正面抜き取り器３２、３４、および３６がインターフェース部３０に順次配置されているため、ユーザーが第１の正面抜き取り器３２を使って表面６から部分的にくぎ２を抜き取れるようにし、次に第２の正面抜き取り器３４および／または第３の正面抜き取り器３６を使ってくぎ２の残っている部分を完全に抜き取れるようにすることで長いくぎの抜き取りが簡単となっている。これにより、当該分野において従来大工が行っていたように木製のブロックを使ってハンマーヘッド１２の位置を支持する必要や、従来行われていたような複雑な機構の必要がなくなる。
【００４４】
この点に関して、本発明の上述の実施態様は、表面からくぎまたは他の固定具を抜き取るための新規の方法を提供している。特に、図１、図２、および図４を参照すると、開示されている方法は、ハンマー１０をくぎ２の隣に、ハンマー１０の正面を定義しているハンマー１０の打撃面２２がくぎ２が抜き取られようとしている表面６に接触するように配置する工程を含んでいる。くぎ２はハンマー１０の正面に向かって打撃面２２の近位に配置されている第１の正面抜き取り器３２を使って係合される。そして図４に示されるようにハンドル１４が矢印Ｄの方向に打撃面２を中心に回転されてくぎを表面から部分的に抜き取る。
【００４５】
そしてくぎ２は第１の正面抜き取り器３２から開放され、ハンマー１０の正面に向かって第１の正面抜き取り器３２とハンドル１４との間に配置されている第２の正面抜き取り器３４に係合される。ハンドル１４が再び打撃面２２を中心に回転されて表面からさらにくぎ２を抜き取るようにする。くぎ２の長さによっては、上述の工程は表面６から完全にくぎ２を抜き取るのに十分である。しかしながら上述の工程がくぎを完全に抜き取らない範囲では、くぎ２は第２の正面抜き取り器３４から開放されてハンマー１０の正面に向かって第２の正面抜き取り器３４とハンドル１４との間に配置されている第３の正面抜き取り器３６と係合される。ハンドル１４が再び打撃面２２を中心に回転されて表面６から完全にくぎ２を抜き取るようにする。
【００４６】
本発明によりハンマー１０を利用するさらなる恩恵は図５および図６にも示されており、これらの図はそれぞれ従来の爪２４および正面抜き取り器３２を使って垂直面７からくぎ３を抜き取るのに使用中のハンマー１０を表している。くぎ３が垂直面７に埋め込まれている場合は、もしくぎ３およびそのヘッド５がユーザーのちょうど手の届かない高さにあるならば、従来の爪２４がくぎ３を抜き取る能力は著しく低下する可能性がある。特に、図５に示すようにハンマー１０の従来の爪２４を使ってくぎ３を抜き取るためには、実際にはハンマー１０のハンドルグリップ１６をくぎ３自身の高さよりも高い位置に上昇させなければならない。従って、はしごまたは他の上昇装置を使ってユーザーの手の届く範囲を広くしない限り簡単には抜き取ることはできない。
【００４７】
反対に、図６にはっきりと示すように、正面抜き取り器３２、３４、および３６は、ハンマー１０のハンドルグリップ１６をくぎ３に対して十分に低い高さ位置に配置する。これによりユーザーの手の届く範囲が有効的に広くされ、くぎ３のヘッド５が係合できるようになる。このようにして、本発明は他の場合であれば手の届く範囲外であると思われるくぎまたは他の固定具を正面抜き取り器３２、３４、および３６を使って抜き取れるようにする。
【００４８】
ハンマー１０はスチールおよび／または他の適切な材料を使ってどのような従来の方法でも製造できる。この点に関して、正面抜き取り器の設けられたインターフェース部３０はハンマーヘッド１２および／またはハンドル１４と一体的に形成してよい。さもなければ、インターフェース部３０をハンマー１０とは別個に製造してその後ハンマーヘッド１２および／またはハンドル１４に溶接またはそれをしっかりと取り付けるための何らかの他の適切な方法によって取り付けてもよい。この点に関して、本発明によるインターフェース部および正面抜き取り器は既存の従来のハンマーに後付けできる別個の構成部材として実現してもよい。例えば、インターフェース部および正面抜き取り器はボルト、ねじ、ピンなどを含む締付け金具および／または固定具を使って機械的に固定される。さらに、図示している実施態様ではインターフェース部３０はハンマー１０のハンマーヘッド１２およびハンドル１４に取り付けられているが、インターフェース部３０は他の実施態様では片持ちとし得る。
【００４９】
図７は本発明の他の実施態様によるハンマー１１０の部分側面図である。図示されるように、ハンマー１１０は上で説明した図１のハンマー１０に実質的に類似である。この点に関して、ハンマー１１０はハンドル１１４の第１の端部に取り付けられているヘッド１１２、およびハンドルグリップ１１６（部分的にのみ示す）が設けられたハンドル１１４を備えている。ハンマー１１０のヘッド１１２はハンドル１１４から垂直に延びている打撃ヘッド１２０、および従来の爪１２４を備えており、打撃ヘッド１２０は打撃面１２２を持っている。
【００５０】
図示されている実施態様によるハンマー１１０はまた打撃ヘッド１２０の下側とハンマー１１０のハンドル１１４の正面側との間に斜めにまたがっているインターフェース部１３０も備えている。この点に関して、図示されている実施態様では、インターフェース部１３０が斜め向きになっていることにより図示されるようにインターフェース部１３０とハンマーヘッド１１２との間に開口部１３１が形成されている。開口部１３１は製造材料を節約しまた重量およびバランス上の事項の応用を可能とする役割を果たす。
【００５１】
すでに説明した実施態様と同様に、インターフェース部１３０には第１、第２、および第３の抜き取り器１３２、１３４、および１３６がそれぞれ設けられている。この点に関して、正面抜き取り器１３２、１３４、および１３６はくぎまたは他の固定具のヘッドが係合できるような大きさとされているスロット１３３、１３５、および１３７によってそれぞれインターフェース部１３０に形成されている。上ですでに述べたように、インターフェース部１３０の表面１３８（点線で表示されている）はくぎまたは他の固定具の動きをそれが抜き取られるにつれて制限する溝の接触面１３３、１３５、および１３７を定義している。ハンマー１１０は図３から図６に関してすでに説明したハンマー１０と実質的に同じように利用できる。従って、ハンマー１１０およびその動作についてのさらなる説明は省略して繰り返しを避ける。
【００５２】
図８は図７のハンマー１１０に実質的に類似の、本発明のさらに他の実施態様によるハンマー２１０の部分側面図である。この点に関して、ハンマー２１０はハンドルグリップ（部分的にのみ示す）を持つハンドル２１４の第１の端部に取り付けられているヘッド２１２を備えている。ハンマー２１０のヘッド２１２は打撃面２２２を持つ打撃ヘッド２２０、および従来の爪２２４を備えている。
【００５３】
ハンマー２１０はまた打撃ヘッド２２０の下側とハンドル２１４の正面側との間に斜めにまたがり開口部２３１を持つインターフェース部１３０も備えている。すでに説明した実施態様と同様に、インターフェース部２３０には上で説明したように使って表面からくぎまたは他の固定具を抜き取ることのできる第１、第２、および第３の正面抜き取り器２３２、２３４、および２３６がそれぞれ設けられている。正面抜き取り器２３２、２３４、および２３６はスロット２３３、２３５、および２３７によってそれぞれインターフェース部２３０に形成されており、表面２３８はスロットを通って延びている溝の接触面を定義している。
【００５４】
図８の図面によって示されているように、本実施態様ではハンマー２１０の第１のスロット２３３および第２のスロットは拡大されており、実質的に角度のついた形状となっていてスロットの幅がインターフェース部に向かって小さくなるようになっている。スロット２３３および２３５が拡大していることで、すでに説明した実施態様のスロットと比較するとくぎのヘッドをスロット２３３および２３５により簡単に配置できるようになっている。その結果第１の正面抜き取り器２３２または第２の正面抜き取り器２３４によってくぎのヘッドが簡単に係合される。特に、スロット２３３および２３５が角度のついた形状となっていることでハンマー２１０のユーザーはハンマー２１０を、所望の正面抜き取り器に対応するスロットが抜き取ろうとしているくぎのヘッドの近位となるように配置することができる。そしてくぎのヘッドがそれに結合されている抜き取り器によりスロットの傾斜のついた表面に沿ってスライドするようにハンマー２１０を引っ張ることで、くぎのヘッドを簡単に係合することができる。このようにして、簡単にくぎが迅速に抜き取れるようにして作業効率をさらに改善することができる。
【００５５】
当然ながら、上で説明した図１から図８は３つの正面抜き取り器によって本発明の実施態様を図示しているが、本発明の他の実施態様では違う数の抜き取り器を設けてもよい。すでに上で述べ、またこれらの図示した実施態様に示したように、インターフェース部は打撃ヘッドおよびハンドルに取り付けることができる。しかしながら以下に具体的に説明するように、本発明の他の実施態様ではインターフェース部を片持ちとして打撃ヘッドまたはハンドルに取り付けできるようにすることができる。
【００５６】
図９は、本発明のさらに他の実施態様によるハンマー３１０の部分側面図である。図示されるように、ハンマー３１０は、ハンドルグリップ３１６（部分的にのみ示す）を持つハンドル３１４の第１の端部に取り付けられるヘッド３１２を備えている。また、ハンマー３１０のヘッド３１２は、打撃面３２２を持つ打撃ヘッド３２０と、従来の爪３２４とを備えている。ハンマー３１０はまた、上で説明したように表面からくぎまたは他の固定具を抜き取るのに使える第１、第２、および第３の正面抜き取り器３３２、３３４、および３３６をそれぞれ持つインターフェース部３３０とを備えている。この点に関して、正面抜き取り器３３２、３３４、および３３６は、それぞれスロット３３３、３３５、および３３７によってインターフェース部３３０に形成されており、表面３３８はスロットを通って延びている溝の接触面を定義している。
【００５７】
上で説明した実施対応とは反対に、ハンマー３１０のインターフェース部３３０は片持ちとなっていてハンマー３１０のハンドル３１４に取り付けられている。図示されている実施態様では、インターフェース部３３０およびそこに設けられている正面抜き取り器が、ハンマー３１０のハンドル３１４と一緒に形成されている。このことは、ハンマーヘッドがハンドルとは別個の部材として形成されその後一緒に取り付けられて完成したハンマーとする構成においては、特に有利になるであろう。本実施態様では３つの正面抜き取り器が図示されているが、再び、他の実施態様では違う数の抜き取り器を設けてもよい点に留意すべきである。
【００５８】
図１０は、本発明のさらに他の実施態様によるハンマー４１０の部分側面図であり、図１１は、その正面図を示している。従来のくぎ抜きハンマー同様、ハンマー４１０はハンドル４１４の第１の端部に取り付けられるヘッド４１２を備えており、ハンドル４１４にはハンドルグリップ（部分的にのみ示す）が設けられている。ハンマー４１０のヘッド４１２は打撃ヘッド４２０および従来の爪４２４を備えており、打撃ヘッドはハンドル４１４から垂直に延びていて打撃面４２２を持っている。
【００５９】
さらに、ハンマー４１０には打撃ヘッド４２０に取り付けられているインターフェース部４３０が設けられている。図１から図９に関して上で説明した上述の実施態様とは異なり、ハンマー４１０のインターフェース部４３０は打撃ヘッド４２０から片持ちとなっていてハンドル４１４には取り付けられていない。インターフェース部４３０には第１および第２の正面抜き取り器４３２、４３３がそれぞれ設けられている。第１の正面抜き取り器４３２は、くぎまたは他の固定具のヘッドが抜き取りのために係合できる大きさとされているスロット４３３によってインターフェース部４３０に形成されている。第２の正面抜き取り器４３４もまたインターフェース部４３０に形成されている。インターフェース部４３０の表面４３８（点線で表示されている）は、図１１に示す溝４４０の接触面を定義している。そして、この溝４４０は、第１の正面抜き取り器４３２および第２の正面抜き取り器４３４を通って延びており、くぎまたは他の固定具が抜き取られる際に、これらの動きを規制するようになっている。
【００６０】
図１２は、ハンマー４１０の正面抜き取り器を使って垂直面４０７からくぎ４０３を抜き取るのに使用中の図１０のハンマーの側面図である。特に、図示されるようにくぎ４０３のヘッド４０５は第１の正面抜き取り器４３２によって係合されて、矢印「Ｇ」の方向にハンマー４１０を回転するとくぎ４０３が表面４０７から引き抜かれるようになっている。くぎが表面４０７からさらに突出している場合、または第１の正面抜き取り器４３２を使って部分的にしか取り除けない場合は、第２の正面抜き取り器４０７が用いられる。例えば、表面４０７からさらに突出しているくぎ４０３’は図示しているように第２の正面抜き取り器４３４をくぎのヘッド４０５’に係合し、そして矢印Ｇの方向にハンマーを回転させることによって簡単に取り除くことができる。
【００６１】
再び図１０を参照すると、本発明の図示される実施態様では、第１の正面抜き取り器４３２および第２の正面抜き取り器４３４は、両方とも外向きに延びておりハンマー４１０のハンドル４１４に実質的に平行である。好ましい実施態様では、図示されるように、第２の正面抜き取り器４３４は、第１の正面抜き取り器４３２を越えて延びることはない。これにより、組み立ておよび大工仕事の際に用いる木製のはりをよじるのにこのハンマー４１０を使えるというメリットがある。すなわち、かかるはりをハンマー４１０のハンドル４１４と正面抜き取り器４３２および４３４のうちいずれか１つとの間に係合することにより、このはりをよじることができる。
【００６２】
また、特に図１０に示すように、ハンマー４１０およびそれに設けられている第１の正面抜き取り器４３２は、ｗ１の幅寸法を持つ点線の長方形によって概略的に示される木製のはりＰ１に係合するような寸法にしてもよい。また、矢印「Ｆ」の方向にハンマー４１０を回転して、第１の正面抜き取り器４３２およびハンマー４１０のハンドル４１４をよじる動作を行うことにより、概略的に図示される木製のはりＰ１を簡単に回転することができる。同様に、第２の正面抜き取り器４３４は、ｗ１よりも小さい幅寸法ｗ２を持つ点線の長方形によって概略的に示される木製のはりＰ２に係合するような寸法にしてもよい。そして矢印「Ｆ」の方向にハンマー４１０を回転して、第２の正面抜き取り器４３４およびハンマー４１０のハンドル４１４をよじる動作を行うことにより、概略的に図示される木製のはりＰ２を簡単に回転することができる。
【００６３】
上述の点に関して、ハンマー４１０のハンドル４１４および第１の抜き取り器４３２は、互いに約１  ５／８インチの間隔をあけることにより、従来の「厚さ２インチ幅４インチ」の木製のはりに係合させてよじることができるようになる。また、ハンマー４１０のハンドル４１４および第２の正面抜き取り器４３４は互いに約１  １／４インチの間隔をあけることにより、一般に使われている木製のはりに係合させてよじることができるようになる。当然ながら、上述の寸法は単に従来のハンマーと比較してハンマー４１０にさらなる有用性および価値を加える一例として挙げたにすぎないということに留意されなければならない。
【００６４】
図１０から図１２の実施態様には、２つの正面抜き取り器４３２および４３４が示されているが、本発明の他の実施態様として、１つの正面抜き取り器または２つより多くの正面抜き取り器など、異なる数の正面抜き取り器が設けられてもよい点も留意されなければならない。さらに、正面抜き取り器は、長さが違っていても同じであってもよく、（図示されるように）向きが平行でもハンドル４１４に対して角度がつけられていてもよい。ハンマー４１０は、どのような従来の方法でも製造することができる。この点に関して、インターフェース部４３０および正面抜き取り器４３２および４３４はハンマーヘッド４１２と一体的に形成してよい。あるいは、インターフェース部４３０および正面抜き取り器４３２および４３４をハンマー４１０とは別個に製造し、その後に溶接またはしっかりとした取り付けを行うための他の方法または機構によってハンマーヘッド４１２を取り付けてもよい。
【００６５】
さらに、図１０から図１２の正面抜き取り器は、実質的に厚さ寸法を持つインターフェース部４３０から突出しているものとして図示され説明されているが、本実施態様では、インターフェース部は、正面抜き取り器４３２および４３４を打撃ヘッド４２０の下側に固定するのに役立つという点に留意すべきである。その結果、他の実施態様ではインターフェース部４３０は非常に薄いかさもなければ省略されて正面抜き取り器４３２および／または４３４が本質的に打撃ヘッド４２０自身から直接突出されるようにしてもよい。しかしながら、抜き取りの最中にくぎの曲がり具合を制御したり、抜き取り器が打撃ヘッド４２０の近くに配置されたのであれば困難であろう長いくぎの抜き取りができるようしたりするのにインターフェース部４３０を設けるのが好ましい。
【００６６】
図１３は、本発明のさらに他の実施態様によるハンマー５１０の部分側面図である。見て取れるように、ハンマー５１０は、図１０から１２に関して上で説明したハンマー４１０に似ている。ハンマー５１０は、ハンドル５１４の第１の端部に取り付けられているヘッド５１２を備えており、ハンマー５１０のヘッド５１２はハンドル５１４に対して実質的に垂直に延びる打撃ヘッド５２０と、従来の爪５２４とを備えている。また、打撃ヘッド５２０は打撃面５２２を備えている。さらにハンマー５１０には、第１および第２の正面抜き取り器５３２および５３４がそれぞれ設けられているインターフェース部５３０と、くぎまたは他の固定具の動きをそれが抜き取られるにつれて制限する溝の接触面を定義している表面５３８（点線で表示されている）とが設けられている。
【００６７】
図示されている実施態様では、インターフェース部５３０に第１の正面抜き取り器５３２を形成しているスロット５３３は、くぎ５０３のヘッド５０５に係合するような大きさとされており、これによりくぎ５０３を図１３に示される実質的な片持ち位置に支持する。また、これにより、ユーザーが手を使ってくぎ５０３を表面に対して支持または配置する必要なくただハンマー５１０を振り動かしてくぎ５０３の頂点を持つ表面を打撃するだけでくぎ５０３を最初に表面に打ち込むことが可能となる。そしてユーザーは単にスロット５３３からくぎを解放し、その後ユーザーは打撃工具としてハンマー５１０を従来の用途に使うことによりくぎを表面に打ち込みつづけることができる。
【００６８】
スロット５３３は幅を１／１６から１／８インチの間の幅にすることにより、もっとも一般的に使用されるくぎのヘッドに係合可能とし得る。好ましくは、スロット５３３は幅を約３／３２インチとし、インターフェース部５３０に向かって幅がわずかに先細りとなるような寸法とすることで、さまざまな厚さのくぎのヘッドに係合可能とできる。
【００６９】
くぎ５０３をスロット５３３に保持するための上述の方法の代わりに、またはそれに加えて、インターフェース部５３０、第１の正面抜き取り器５３２、および／または第２の正面抜き取り器５３４を帯磁させてくぎを図示されるような実質的に片持ち位置に支持可能とし得る。くぎおよび固定具のほとんどはスチールでできているため、これらは磁力の印加によって所定の位置に支持できる。当然ながら、このような特徴は図１から９に関して上で説明した本発明の実施態様にも同様に簡単に組み込むことができる。
【００７０】
図１４は、本発明のさらに他の実施態様によるハンマー６１０の部分側面図である。図１４からもわかるように、このハンマー６１０は、図１０から１２において上述したハンマー４１０と同様である。すなわち、図示のハンマー６１０は、実質的にハンマー４１０と同様の特徴を与えられている。以下に詳述するように、両者の実施態様の主要な相違は、ハンマー６１０が正面抜き取り器６３２、６３４の間にわたってスロット６３３の端を覆う水かき状部６３５をさらに備えていることである。
【００７１】
特に、このハンマー６１０は、ハンドル６１４の第一の端部に取り付けられるボディ６１３を有するハンマーヘッド６１２を備えており、このハンマーヘッド６１２は、ハンドル６１４に実質的に平行に拡張されている。このハンマー６１０のハンマーヘッド６１２は、ボディ６１３と、ハンマーヘッド６１２の一方の端部に配置された打撃ヘッド６２０と、他方の端部に設けられた従来の爪６２４とを備えている。打撃ヘッド６２０は、その末端に打撃面６２２を有している。さらに、図１５の背面図と図１６の底面図とにおいて最もよく示されているように、ハンマー６１０の打撃ヘッド６２０には、第１の正面抜き取り器６３２と第２の正面抜き取り器６３４とが設けられている。図１４に示すように、第１と第２の正面抜き取り器６３２、６３４は、打撃ヘッド６２０の打撃面６２２の近位かつ下方において、打撃ヘッド６２０の末端に向けて配置されている。
【００７２】
図１６を参照して、一つの溝６４０が、第１の正面抜き取り器６３２と第２の正面抜き取り器６３４とを通って延び、正面抜き取り器６３２、６３４を定義している。前述したように、この溝６４０は、くぎやその他の固定具を正面抜き取り器６３２、６３４を使用して引き抜く際に、それらの動きを規制するものである。しかしながら、前述の実施態様において示されたような正面抜き取り器６３２、６３４の断面幅方向に拡張され、明らかに第１の正面抜き取り器６３２を第２の正面抜き取り器６３４から分離するスロット６３３とは異なり、本実施態様では、スロット６３３は、正面抜き取り器６３２、６３４を通って拡張されてはいない。その代わり、スロット６３３は、それぞれの端部が水かき状部６３５によって周囲を囲まれており、この水かき状部６３５によって第１の正面抜き取り器６３２と第２の正面抜き取り器６３４とが結合されている。ここで、この水かき状部６３５は、ハンマーヘッド６１２の別の部品ではなく、ハンマーヘッド６１２の製作過程において正面抜き取り器６３２、６３４と一緒に一体的に形成されることが好ましい。この点において、この水かき状部６３５は、鋼のようなハンマーヘッド６１２と同じ材質からなり、ハンマーヘッド６１２のその他の物理的性質と同じ物理的性質になるように形成されることが好ましい。
【００７３】
水かき状部６３５は、図１５の背面図と図１６の底面図とにおいて最もよく示されている。溝６４０は、ハンマーヘッド６１２の長手方向に延び、これにより、第１の正面抜き取り器６３２または第２の正面抜き取り器６３４によって引き抜かれる際のくぎの脚部が受け入れられる正面抜き取り器の間のスペースが定義される。スロット６３３は、図１６の底面図において最もよく示されているように、ハンマーヘッド６１２の幅方向に拡張され、これにより、第１の正面抜き取り器６３２と第２の正面抜き取り器６３４とが定義されている。前述の実施態様とは対照的に、スロット６３３は、正面抜き取り器６３２、６３４の幅を拡張していない。その代わり、第１の正面抜き取り器６３２と第２の正面抜き取り器６３４とは、水かき状部６３５により、外側の周縁部において結合されている。別の言い方をすると、スロット６３３は、正面抜き取り器６３２、６３４の断面幅よりは小さい寸法になっており、水かき状部６３５を形成するようにハンマーヘッド６１２の部材を残すことにより、スロット６３３が結合されるようになっている。このように、図１６に明瞭に示されているように、溝６４０とスロット６３３との交差部は、特に水かき状部６３５によって、十字に似た形を形成している。
【００７４】
もちろん、スロット６３３は、ハンマーヘッド６１２の断面方向、長手方向ともに、くぎの引き抜きの際にくぎのヘッドを受け入れることができる十分な寸法になっている。この点において、スロット６３３は、最も一般的に用いられているくぎのヘッドに適用可能なように、（ハンマーヘッド６１２の長手の方向に）１／１６から１／８インチの幅とされている。ここで、このスロット６３３は、さまざまな厚みのくぎのヘッドに適用可能なように、約３／３２インチの幅とされていることが好ましい。
【００７５】
ハンマー６１０は、上述のハンマー４１０と実質的に同じように用いられる。すなわち、まず、第１の正面抜き取り器６３２がくぎのヘッドとくぎが打ち付けられた木材の表面との間になるように、第１の正面抜き取り器６３２の間においてスロット６３３の中にくぎのヘッドをスライドさせることにより、まずくぎのヘッドを押し出す。このようにくぎのヘッドが打撃ヘッド６２０の近くに置かれ、てこの作用が従来のハンマー６１０よりも増加する。それから、ハンマー６１０のハンドル６１４が回転され、打撃面６２２がてこの支点を与えつつハンマーヘッド６１２が打撃面６２２を中心に回転される。そして、これにより、正面抜き取り器６３２、６３４が上方に回転させられ、くぎのヘッドが引っ張られてくぎが引き抜かれる。
【００７６】
それから、ハンマー６１０がくぎのヘッドから取り外され、溝６４０の中で部分的に引き抜かれたくぎの脚部に対して、再びハンマー６１０の位置決めが行われ、今度は、くぎのヘッドが第２の正面抜き取り器６３４に取り付けられる。
【００７７】
そして、再びハンマー６１０のハンドル６１４が回転されることにより、第２の正面抜き取り器６３４がくぎのヘッドを引き抜き、くぎがさらに引き抜かれる。
【００７８】
なお、第１の正面抜き取り器６３２と第２の正面抜き取り器６３４との間に水かき状部６３５の領域が設けられることにより、第１の正面抜き取り器６３２および第２の正面抜き取り器６３４それぞれの引き抜き容量と耐久性とが、顕著に増加するということが理解される。特に、この水かき状部６３５の領域は、引き抜き過程において、正面抜き取り器６３２、６３４に働く応力集中を分散させることに役立っている。例えば、第１の正面抜き取り器６３２がくぎを抜くのに用いられる場合は、この第１の正面抜き取り器６３２に働く力は、第１の正面抜き取り器６３２と第２の正面抜き取り器６３４とを結合する水かき状部６３５を通して部分的に第２の正面抜き取り器６３４に分散される。また同様に、第２の正面抜き取り器６３４がくぎを抜くのに用いられる場合は、この第２の正面抜き取り器６３４に働く力は、水かき状部６３５を通して部分的に第１の正面抜き取り器６３２に分散される。結果として、くぎを引き抜くのに際して、正面抜き取り器６３２、６３４の許容応力についてほとんど懸念することなく、もっと大きな力をかけることができるようになる。また、このように正面抜き取り器６３２、６３４のそれぞれに働く応力を効果的に低減することができるので、明らかに第１の正面抜き取り器６３２と第２の正面抜き取り器６３４との両方の耐久性を顕著に増大させることができる。
【００７９】
さらに、図１７の正面図に示されているように、ハンマー６１０の第１の正面抜き取り器６３２にかかる図示の実施態様には、第１の正面抜き取り器６３２の末端において溝６４０の幅を拡大する角度のついた端部６３７が設けられている。この第１の正面抜き取り器６３２の端部６３７につけられた角度は、ハンマー６１０がくぎを抜くのに用いられる時に、第１の正面抜き取り器６３２の間において溝６４０の中にくぎの脚部を位置決めするのに便利なものである。図１７をよく見れば、図示の好ましい実施態様においては、端部６３７は、湾曲部を有することにより角度がつけられ、これによりくぎの脚部を第１の正面抜き取り器６３２の間においてさらにスムースに位置決めすることができるようになっている。もちろん他の実施態様として、端部６３７は、必ずしも角度がつけられたり、湾曲部を備えたりしたものである必要はない。
【００８０】
すでに述べたように、本発明によるハンマーおよびハンマーヘッドはスチールおよび／または他の適切な材料を使ってどのような従来の方法でも製造し得る。正面抜き取り器を備えた説明済みのインターフェース部はハンマーヘッドおよび／またはハンドルと一体的に形成してよく、または別個に製造し後で溶接またはなんらかの他の適切な用法で取り付けてもよい。これにより本発明によるインターフェース部および正面抜き取り器を既存の従来のハンマーに後付けされる別個の構成部材として実現できる。
【００８１】
本発明によるさまざまな実施態様を図示し説明してきたが、本発明はこれらに限定されないことがわかる。本発明は当業者によって変更、改変、およびさらに応用され得る。さらに、最初に述べたように、本発明は後でハンドルと一緒にアセンブリされて完全なハンマーとされるハンマーヘッドにも簡単に応用できる。従って、本発明はすでに図示し説明した詳細に制限されることはなく、かかる変更および改変をすべて含むものである。
【図面の簡単な説明】
【００８２】
【図１】本発明の１つの実施態様によるハンマーの部分側面図である。
【図２】図１のハンマーの正面図である。
【図３】図１のハンマーの、それに設けられている従来の爪を使ってくぎを抜き取るのに使用中の部分側面図である。
【図４】図１のハンマーの、それに設けられている正面抜き取り器を使ってくぎを抜き取るのに使用中の部分側面図である。
【図５】図１のハンマーの、従来の爪を使って垂直表面上のくぎを抜き取るのに使用中の側面図である。
【図６】図１のハンマーの、本発明の１つの実施態様によるハンマーの正面抜き取り器を使って垂直表面上のくぎを抜き取るのに使用中の側面図である。
【図７】本発明の他の実施態様によるハンマーの部分側面図である。
【図８】本発明のさらに他の実施態様によるハンマーの部分側面図である。
【図９】本発明のさらに他の実施態様によるハンマーの部分側面図である。
【図１０】本発明のさらに他の実施態様によるハンマーの部分側面図である。
【図１１】図１０のハンマーの正面図である。
【図１２】図１０のハンマーの、正面抜き取り器を使って垂直表面上のくぎを抜き取るのに使用中の側面図である。
【図１３】本発明の他の実施態様によるハンマーの部分側面図である。
【図１４】本発明のさらに他の実施態様によるハンマーの部分側面図である。
【図１５】図１４のハンマーの背面図である。
【図１６】図１４のハンマーの底面図である。
【図１７】図１４のハンマーの正面図である。
【図１】
2007268702.tif 000003
【図２】
2007268702.tif 000004
【図３】
2007268702.tif 000005
【図４】
2007268702.tif 000006
【図５】
2007268702.tif 000007
【図６】
2007268702.tif 000008
【図７】
2007268702.tif 000009
【図８】
2007268702.tif 000010
【図９】
2007268702.tif 000011
【図１０】
2007268702.tif 000012
【図１１】
2007268702.tif 000013
【図１２】
2007268702.tif 000014
【図１３】
2007268702.tif 000015
【図１４】
2007268702.tif 000016
【図１５】
2007268702.tif 000017
【図１６】
2007268702.tif 000018
【図１７】
2007268702.tif 000019